(57)【特許請求の範囲】
【請求項１】
高分子ファイバ原料液の孔からの流出ないしは吐出と帯電とによって高分子ファイバを生成して収集体上に電荷誘導して収集、堆積させ高分子ウエブを製造する高分子ウエブの製造方法において、
収集体を介した高分子ファイバ生成源との対向域を含む循環経路にて、その循環経路方向に電気的に独立した複数の電極を循環させて、前記対向域を繰り返し通過させながら、少なくとも高分子ファイバ生成源との対向域を通過する間は高分子ファイバと逆極性に帯電させ又は接地することにより、前記高分子ファイバ生成源から生成され帯電している高分子ファイバを電荷誘導して、前記収集体上に収集、堆積させ高分子ウエブを製造することを特徴とする高分子ウエブの製造方法。
【請求項２】
高分子ファイバ原料液の孔からの流出ないしは吐出と帯電とによって高分子ファイバを生成して収集体上に電荷誘導して収集、堆積させ高分子ウエブを製造する高分子ウエブの製造方法において、
収集体を介した高分子ファイバ生成源との対向域を含む循環経路にて、その循環経路方向に電気的に独立した複数の電極を循環させて、前記対向域を繰り返し通過させながら、少なくとも高分子ファイバ生成源との対向域を通過する間は高分子ファイバと逆極性に帯電させ又は接地することにより、前記高分子ファイバ生成源から生成され帯電している高分子ファイバを電荷誘導して、前記収集体上に収集、堆積させるのに併せ、前記対向域外を通過している電極には、前記対向域外のほぼ一部からほぼ全域までの範囲の所定位置または所定域において電極が静電的に高分子ファイバの前記収集またはおよび堆積を不安定にするところを、安定化する静電措置を採りながら、高分子ウエブを製造することを特徴とする高分子ウエブの製造方法。
【請求項３】
静電措置は、電極への静電付着物の除去またはおよび除電である請求項２に記載の高分子ウエブの製造方法。
【請求項４】
収集体は少なくとも高分子ファイバの収集、堆積域での前記電極によるバックアップを伴い搬送し、高分子ウエブを連続に製造する請求項１〜３のいずれか１項に記載の高分子ウエブの製造方法。
【請求項５】
電極に対する除電は、電極が前記収集、堆積域を超えた位置と、この位置よりも下流で電極から収集体が離れる位置までの間で行う請求項４に記載の高分子ウエブの製造方法。
【請求項６】
電極に対する除電は、前記収集、堆積域での電極の高分子ファイバ生成源との対向域が、前記電極の循環経路方向に不連続とし、この不連続域を通過する電極に対して行う請求項１〜５のいずれか１項に記載の高分子ウエブの製造方法。
【請求項７】
高分子ファイバ原料液の孔からの吐出と帯電とを図って高分子ファイバを生成する高分子ファイバ生成源と、収集体を介した高分子ファイバ生成源との対向域を含む循環経路にて、その循環経路方向に電気的に独立して循環駆動され、前記対向域を繰り返し通過させられる複数の電極と、これら電極が少なくとも高分子ファイバの流出ないしは吐出源との対向域を通過する間は高分子ファイバと逆極性に帯電させ又は接地することにより、前記生成される高分子ファイバを電荷誘導して、前記収集体上に収集、堆積させる電荷誘導手段と、を備え、高分子ウエブの収集体上への収集、堆積によって高分子ウエブを製造することを特徴とする高分子ウエブの製造装置。
【請求項８】
高分子ファイバ原料液の孔からの吐出と帯電とを図って高分子ファイバを生成する高分子ファイバ生成源と、収集体を介した高分子ファイバの流出ないしは吐出源との対向域を含む循環経路にて、その循環経路方向に電気的に独立して循環駆動され、前記対向域を繰り返し通過させられる複数の電極と、これら電極が少なくとも高分子ファイバの流出ないしは吐出源との対向域を通過する間は高分子ファイバと逆極性に帯電させ又は接地することにより、前記生成される高分子ファイバを電荷誘導して、前記収集体上に収集、堆積させる電荷誘導手段と、を備え、循環する電極に対し、その前記対向域を外れる対向域外のほぼ一部からほぼ全域までの範囲の所定位置または所定域にて、電極が高分子ファイバの収集またはおよび堆積を静電的に不安定にするのを安定化する静電措置手段を働かせ、高分子ウエブの収集体上への安定化を伴う収集、堆積によって高分子ウエブを製造することを特徴とする高分子ウエブの製造装置。
【請求項９】
静電措置手段は、電極への静電付着物の除去またはおよび除電を行う請求項８に記載の高分子ウエブの製造装置。
【請求項１０】
収集体は少なくとも高分子ファイバの収集、堆積域での前記電極によるバックアップを伴い搬送し、高分子ウエブを連続に製造する請求項７〜９のいずれか１項に記載の高分子ウエブの製造装置。
【請求項１１】
静電措置手段による電極に対する除電は、電極が前記収集、堆積域を超えた位置と、この位置よりも下流で電極から収集体が離れる位置までの間で行う請求項９に記載の高分子ウエブの製造装置。
【請求項１２】
電極に対する除電は、前記収集、堆積域での電極の高分子ファイバ生成源との対向域が、前記電極の循環経路方向に不連続で、この不連続域を通過する電極に対して行う請求項７〜１１のいずれか１項に記載の高分子ウエブの製造装置。
【発明の詳細な説明】
【技術分野】
【０００１】
本発明は、高分子ファイバ原料液の孔からの流出ないしは吐出と帯電とによって高分子ファイバを生成して収集体上に電荷誘導して収集し高分子ウエブを製造する、いわゆる電荷誘導紡糸ないし電子紡糸（エレクトロスピンニング法）を利用した高分子ウエブの製造方法と装置に関するものである。
【背景技術】
【０００２】
従来、生成された高分子ファイバを収集体の側に電荷誘導するのに、収集体自体を接地したり（例えば、特許文献１参照。）、高分子ファイバと逆極性に帯電させたり、収集体を介して高分子ファイバ生成源に対向する対向電極を設置して接地したり（例えば、特許文献２参照）、高分子ファイバと逆極性に帯電させたりすることが行われている。
特許文献１に記載のように設置した収集体を循環駆動することにより、紡糸される高分子ファイバを連続に収集して堆積させ連続した高分子ウエブを製造することができ、収集体により搬送されてくる高分子ウエブを剥離し、次へ搬送すればよい。また、特許文献２に記載のように対向電極を固定配置しても、収集体を連続搬送することで紡糸される高分子ファイバを電荷誘導して収集体上に連続に収集、堆積させ高分子ウエブを連続に製造することができるし、製造された高分子ウエブは収集体と共に巻き取り二次製品とすることができる。接地ないしは逆帯電させる収集体は、特許文献１に記載のようにベルト態様とされることが多いが、ドラムタイプとされる場合もある。また、対向電極は、ドラムタイプとして収集体搬送の駆動や案内を兼ねるようにされることもある。
【特許文献１】特開２００２−２０１５５９号公報
【特許文献２】特開２００７−９２２１３号公報
【発明の開示】
【発明が解決しようとする課題】
【０００３】
しかし、特許文献１に記載のような収集体の接地や逆帯電、また特許文献２に記載のような対向電極の接地や逆帯電は、高分子ウエブの製造が継続している間解除されることはない。このため、接地や逆帯電され続ける収集体の裏面には、帯電した埃やゴミなどの静電付着を招くし、高分子ファイバが回り込んでの静電付着も生じる。また、特許文献２に記載のように接地や逆帯電され続ける対向電極にも同様に、帯電した埃やゴミなどの静電付着を招くし、高分子ファイバが回り込んでの静電付着も生じる。
【０００４】
これら接地され逆帯電される収集体の裏面や対向電極に静電付着した、埃やゴミ、回り込み高分子ファイバは、収集体上に収集され堆積する高分子ファイバと同極性であるため互いに反発し合い、紡糸ないし生成される高分子ファイバの収集体上への収集、堆積を阻害する働きをする。しかも、これら埃やゴミ、回り込み高分子ファイバの静電付着量は、高分子ウエブの製造継続時間に比例し、その影響度は次第に高まっていく。
【０００５】
特許文献２には、収集体上に少なくとも１以上の紡糸ノズル毎に高分子ファイバ構造体およびまたは収集体の表面を除電して、次の１以上の紡糸ノズルからの高分子ファイバの収集時に既収集、既堆積の高分子ファイバ構造体と反発し合わずスムーズに収集、堆積され、最終の収集、堆積後の高分子ファイバ構造体を巻き取った後、巻き解いて剥離していくときの下層の帯電影響を防止し、毛羽立ちなどが生じないようにする技術が開示されている。しかし、この技術でも、接地や逆帯電される収集体や対向電極に埃やゴミ、回り込み高分子ファイバが高分子ウエブ製造の間静電付着し続け、紡糸される高分子ファイバの収集、堆積を阻害することは解消されない。
【０００６】
本発明の目的は、対向電極を採用するが、接地ないしは逆帯電させ続けなくても、紡糸される高分子ファイバを収集体上に収集、堆積させて高分子ウエブを製造し、対向電極を接地ないし逆帯電させることによる問題を軽減ないしは解消することができる高分子ウエブの製造方法と装置を提供することにある。
【課題を解決するための手段】
【０００７】
上記のような目的を達成するために、本発明の第１の態様によれば、高分子ファイバ原料液の孔からの流出ないしは吐出と帯電とによって高分子ファイバを生成して収集体上に電荷誘導して収集、堆積させて、高分子ウエブを製造する高分子ウエブの製造方法において、収集体を介した高分子ファイバ生成源との対向域を含む循環経路にて、その循環経路方向に電気的に独立した複数の電極を循環させて、前記対向域を繰り返し通過させながら、少なくとも高分子ファイバ生成源との対向域を通過する間は高分子ファイバと逆極性に帯電させ又は接地することにより、前記高分子ファイバ生成源から生成され帯電している高分子ファイバを電荷誘導して、前記収集体上に収集、堆積させ高分子ウエブを製造することを特徴としている。
【０００８】
このような構成によれば、高分子ファイバ生成源から生成され帯電された高分子ファイバは、収集体を介し高分子ファイバ生成源に対向した対向電極を接地ないしは高分子ファイバと逆極性に逆帯電させたときの電荷誘導により、収集体上に収集、堆積させて高分子ファイバを製造する。このとき、前記電極は、収集体を介した高分子ファイバ生成源との対向域を含む循環経路にて、その循環経路方向に電気的に独立した複数のものとして循環させることにより前記対向域を繰り返し通過させながら、少なくとも高分子ファイバ生成源との対向域を通過する間だけ、他から独立して、高分子ファイバと逆極性に帯電させ又は接地し、対向する高分子ファイバ生成源からの高分子ファイバを収集体の側に電荷誘導して、収集体上に収集、堆積させて高分子ウエブとすることができる。一方、前記電極間の循環経路方向での電極ギャップはあるが、電極ギャップに続いて通過する電極が電荷誘導を即時に補完することを繰り返すので、高分子ファイバを収集体上に電荷誘導して収集、堆積させる静電作用が特に対向域間で低下したり、乱れたりすることがない。特に、前記電極は少なくとも高分子ファイバ生成源との対向域を通過する間だけ逆帯電又は接地していればよく、対向域外では逆帯電又は接地から解放され得て、高分子ウエブ製造時間中の一部の時間でしか逆帯電又は接地されず、埃やゴミ、回り込み高分子ファイバの静電付着自体を抑えられる。しかも、逆帯電からの解放によっては電圧印加を失い、また接地からの解放によっては接地によって生じていた電荷誘導のバックアップ電荷の供給を失うので、埃やゴミ、回り込み高分子ファイバの静電付着自体をさらに抑えられる。
【０００９】
本発明の第７の態様によれば、高分子ファイバ原料液の孔からの吐出と帯電とを図って高分子ファイバを生成する高分子ファイバ生成源と、収集体を介した高分子ファイバの生成源との対向域を含む循環経路にて、その循環経路方向に電気的に独立して循環駆動され、前記対向域を繰り返し通過させられる複数の電極と、これら電極が少なくとも高分子ファイバ生成源との対向域を通過する間は高分子ファイバと逆極性に帯電させ又は接地することにより、前記生成される高分子ファイバを電荷誘導して、前記収集体上に収集、堆積させる電荷誘導手段と、を備え、高分子ウエブの収集体上への収集、堆積によって高分子ウエブを製造することを特徴とする高分子ウエブの製造装置をなし、第１の態様の高分子ウエブの製造方法を実現することができ自動的に達成される。
【００１０】
本発明の第２の態様によれば、高分子ファイバ原料液の孔からの流出ないしは吐出と帯電とによって高分子ファイバを生成して収集体上に電荷誘導して収集、堆積させて、高分子ウエブを製造する高分子ウエブの製造方法において、収集体を介した高分子ファイバ生成源との対向域を含む循環経路にて、その循環経路方向に電気的に独立した複数の電極を循環させて、前記対向域を繰り返し通過させながら、少なくとも高分子ファイバ生成源との対向域を通過する間は高分子ファイバと逆極性に帯電させ又は接地することにより、前記高分子ファイバ生成源から生成され帯電している高分子ファイバを電荷誘導して、前記収集体上に収集、堆積させるのに併せ、前記対向域外を通過している電極には、前記対向域外のほぼ一部からほぼ全域までの範囲の所定位置または所定域において電極が静電的に高分子ファイバの前記収集またはおよび堆積を不安定にするのを安定化する静電措置を採りながら、高分子ウエブを製造することを特徴としている。
【００１１】
このような構成によれば、第１の態様の場合に加え、さらに、前記対向域外を通過している電極には、逆帯電又は接地から解放するだけでなく、前記対向域外のほぼ一部からほぼ全域までの範囲の所定位置または所定域において、電極が静電的に高分子ファイバの前記収集またはおよび堆積を不安定になるのを安定化する静電措置を採るので、静電措置を採った程度に応じて、電極が静電的に高分子ファイバの前記収集またはおよび堆積を安定化させられる。
【００１２】
本発明の第８の態様によれば、高分子ファイバ原料液の孔からの吐出と帯電とを図って高分子ファイバを生成する高分子ファイバ生成源と、収集体を介した高分子ファイバの流出ないしは吐出源との対向域を含む循環経路にて、その循環経路方向に電気的に独立して循環駆動され、前記対向域を繰り返し通過させられる複数の電極と、これら電極が少なくとも高分子ファイバの流出ないしは吐出源との対向域を通過する間は高分子ファイバと逆極性に帯電させ又は接地することにより、前記生成される高分子ファイバを電荷誘導して、前記収集体上に収集、堆積させる電荷誘導手段と、を備え、循環する電極に対し、その前記対向域を外れる対向域外のほぼ一部からほぼ全域までの範囲の所定位置または所定域にて、電極が高分子ファイバの収集またはおよび堆積を静電的に不安定にするのを安定化する静電措置手段を働かせ、高分子ウエブの収集体上への安定化を伴う収集、堆積によって高分子ウエブを製造することを特徴とする高分子ウエブの製造装置をなし、第２の態様の高分子ウエブの製造方法を実現することができ、自動的に達成される。
【００１３】
本発明の第３の態様によれば、第２の態様の場合に加え、さらに、静電措置は、前記電極への静電付着物の除去またはおよび除電であることを特徴としている。
【００１４】
このような構成によれば、前記電極への埃やゴミ、回り込み高分子ファイバの付着は、それらが収集体上に電荷誘導にて収集される高分子ファイバと同じ極性の電荷を有して、電荷誘導特性を静電的に低下させたり乱したりして、高分子ファイバの収集、堆積率を低下させ、また、高分子ファイバの収集、堆積を乱す原因になるところ、前記電極に静電付着している埃やゴミ、回り込み高分子ファイバを、前記電極が高分子ファイバ生成源との対向域を外れたのを利用した高分子ファイバの収集、堆積に影響のない状態で除去して解消できる。また、前記電極は対向域外で帯電や接地から解放されて、印加され、または接地にて生じていた電荷は自然放電によって低下はするものの電荷はなお残留して、対向域外においても埃やゴミの付着を招いたり、収集体が前記電極の循環経路から離れる際に静電吸着による抵抗で離れにくくしたりすることがあるところ、前記電極を対向域外のほぼ一部からほぼ全域までの範囲の所定位置又は所定域において、高分子ファイバの静電誘導による収集体上への収集、堆積に全く影響しない状態で除電して解消できる。
【００１５】
本発明の第９の態様によれば、第８の態様において、さらに、静電措置手段は、電極への静電付着物の除去またはおよび除電を行うものであることを特徴とし、第３の態様の方法を実現する。
【００１６】
本発明の第４の態様によれば、第１〜第３の態様のいずれか１つにおいて、さらに、収集体は少なくとも高分子ファイバの収集、堆積域での前記電極によるバックアップを伴い搬送し、高分子ウエブを連続に製造することを特徴としている。
【００１７】
このような構成では、第１〜第３の態様のいずれか１つに加え、さらに、収集体を少なくとも高分子ファイバの収集、堆積域での前記電極によるバックアップを伴い搬送することで、循環する電極に収集体の支持や案内、または搬送の機能を持たせられる上、収集、堆積域での収集体と前記電極との間にギャップが生じないようにでき、電荷誘導効率を高められる。
【００１８】
本発明の第５の態様によれば、第４の態様において、さらに、電極に対する除電は、電極が前記収集、堆積域を超えた位置と、この位置よりも下流で電極から収集体が離れる位置までの間で行うことを特徴としている。
【００１９】
このような構成では、第４の態様の場合に加え、さらに、電極への除電位置を、対向域外のほぼ一部に限定するにも、電極が前記収集、堆積域を超えた位置と、この位置よりも下流で電極から収集体が離れる位置までの間で行うことにより、収集体が離れていく位置に達する電極は既に除電されていることになるので、収集体が除電され済みの電極から、帯電している高分子ウエブとの静電吸着なしに難なく離れていくことを保証することができる。
【００２０】
本発明の第６の態様によれば、第１〜第５の態様のいずれか１つにおいて、さらに、電極に対する除電は、前記収集、堆積域での電極の高分子ファイバ生出源との対向域が、前記電極の循環経路方向に不連続で、この不連続域を通過する電極に対して行うことを特徴としている。
【００２１】
このような構成では、第１〜第５の態様のいずれか１つの場合に加え、さらに、対向域が複数並ぶ収集、堆積域であっても、対向域が途切れる対向域間の対向域外を利用して、電極を除電し、埃やゴミが静電付着するのを防止することができるし、特に、収集、堆積域であることによる高分子ファイバの無駄な回り込み付着を回避させられる。
【発明の効果】
【００２２】
本発明の１つの特徴の高分子ウエブの製造方法、装置によれば、高分子ファイバ生成源からの帯電された高分子ファイバを、収集体を介し高分子ファイバ生成源に対向した電極が接地ないしは逆帯電されて電荷誘導し、収集体上に収集、堆積させ高分子ファイバを製造するのに、電極は高分子ファイバ生成源との対向域を含む循環経路にて循環経路方向に電気的に独立した配列状態で循環させながら、少なくとも対向域を通過する間だけ接地又は逆帯電させることにより、対向域を電極が通過する毎に高分子ファイバ生成源からの高分子ファイバに対して電荷誘導作用をなして収集体上に収集、堆積させ高分子ファイバを製造することができ、電極は対向域外では逆帯電又は接地から解放されてよいので、高分子ウエブ製造時間中の一部の時間でしか逆帯電又は接地せずに、埃やゴミ、回り込み高分子ファイバの静電付着自体を抑えられ、これら静電付着物が収集体上に収集、堆積される高分子ファイバと同極性で反発し合い高分子ファイバの収集体上への収集、堆積を静電的に邪魔したり乱したりするのを軽減できるのに併せ、逆帯電からの解放によっては逆極性電荷の印加を絶たれ、また接地からの解放によっては接地でのバックアップ電荷の外部からの供給が絶たれるので電荷はそれ以上高まらないし、残留電荷は、収集体上の高分子ファイバ、高分子ウエブの残留電荷との釣り合い残留もあるが、循環により高分子ファイバ、高分子ウエブと対向しなくなった範囲では特に、静電付着物との釣り合い残留はあっても、大方の残留電荷は経時的に大気へ放電して減少していき、それ以上の静電付着自体を抑え、延いては、静電付着物の静電担持力をも低減させて循環する電極から自然落下しやすく、対向気流により吹き落とされやすくすることができ、全体に電極への埃などの静電付着、および静電付着物による高分子ファイバの収集体上への収集、堆積への静電反発、共に抑制し、高分子ファイバの電荷誘導による収集、堆積の効率及び均一化を高め、高分子ウエブの生産性、品質の向上が図れる。
【００２３】
本発明の別の特徴の高分子ウエブの製造方法と装置によれば、１つの特徴の場合に加え、さらに、対向域外を通過している電極にはそのほぼ一部からほぼ全域の範囲までの所望箇所で、電極が残留電荷や付着静電物によって静電的に高分子ファイバの収集、堆積を不安定にさせるのを安定化する措置を採ることにより、高分子ファイバの前記収集またはおよび堆積をさらに安定化させて、高分子ウエブの生産性、品質をさらに高められる。
【００２４】
本発明の高分子ウエブの製造方法と装置のさらなる特徴によれば、安定化措置として、電極への静電付着物の除去またはおよび除電を行い、静電付着物の除去によっては、静電付着物が収集体上に収集され、または収集、堆積している高分子ファイバ、高分子ウエブとの静電反発をなくして、高分子ファイバの収集、堆積率が低下したり、収集、堆積が乱れたりするのを解消し、併せ、電極の残留電荷が静電付着物などとの釣り合いから抜けにくいのを解消することができる。また、除電によっては、電極は対向域外で帯電や接地から解放されて残留電荷が経時的に減少し場合により付着物の静電保持力も低下するがなお残留して高分子ファイバと静電反発し収集、堆積を不安定にさせやすいのを、対向域外を移動中であるのを利用した残留電荷の強制的な除去により、高分子ファイバの静電誘導による収集体上への収集、堆積に全く影響しないで解消できる。
【発明を実施するための最良の形態】
【００２５】
以下、本発明の実施の形態に係る高分子ウエブの製造方法と装置について図１〜図１４を参照しながら説明し、本発明の理解に供する。
【００２６】
本実施の形態の高分子ウエブの製造方法の基本的な特徴は、その幾つかの原理を採用した図１〜図３の各例、図７、図８の各例に示す高分子ウエブの製造装置を参照して説明すると、高分子ファイバ生成源４における高分子ファイバ原料液１の孔ないし小さい孔９からの流出ないしは吐出と電圧Ｖ２での帯電とによって静電爆発、静電延伸を伴い、サブミクロンはもとより、ナノ単位といった微小径の高分子ファイバ２をある長さないしは長さ範囲で生成して収集体３上に電荷誘導して収集し堆積させ高分子ウエブ６を製造するが、本実施の形態では、特に、収集体３を介した高分子ファイバ生成源４との対向域５を含む循環経路１６にて、その循環経路方向に電気的に独立した複数の電極７を循環させて対向域５を繰り返し通過させながら、少なくとも高分子ファイバ生成源４との対向域５を通過する間は高分子ファイバ２と逆極性の電圧Ｖ１にて帯電させ又は接地することにより、高分子ファイバ生成源４から生成され帯電している高分子ファイバ２を電荷誘導して、収集体３上に収集、堆積させ高分子ウエブ６を製造する。電圧Ｖ２は直流で例えば１ＫＶ〜１００ＫＶ程度であればよく、電極７側からの電荷誘導のためには、電圧Ｖ１との間に所定以上の電位差があればよく、接地に代えて電圧Ｖ１を印加する場合は逆極性とするのが好適であるが、前記電位差を満足すれば逆極性に限られることはない。同極性の電圧Ｖ１の印加を選択する積極的な理由は特にないが、前記電位差を調整することはできる。
【００２７】
なお、高分子ファイバ原料液１に用いる高分子物質としては、ポリプロピレン、ポリエチレン、ポリスチレン、ポリエチレンオキサイド、ポリエチレンテレフタレート、ポリブチレンテレフタレート、ポリエチレンナフタレート、ポリ−ｍ−フェニレンテレフタレート、ポリ−ｐ−フェニレンイソフタレート、ポリフッ化ビニリデン、ポリフッ化ビニリデン−ヘキサフルオロプロピレン共重合体、ポリ塩化ビニル、ポリ塩化ビニリデン−アクリレート共重合体、ポリアクリロニトリル、ポリアクリロニトリル−メタクリレート共重合体、ポリカーボネート、ポリアリレート、ポリエステルカーボネート、ナイロン、アラミド、ポリカプロラクトン、ポリ乳酸、ポリグリコール酸、コラーゲン、ポリヒドロキシ酪酸、ポリ酢酸ビニル、ポリペプチド等を例示でき、これらより選ばれる少なくとも一種が用いられるが、特にこれらに限定されるものではない。
【００２８】
上記高分子物質を高分子ファイバ原料液１とするのに使用できる溶媒としては、メタノール、エタノール、１−プロパノール、２−プロパノール、ヘキサフルオロイソプロパノール、テトラエチレングリコール、トリエチレングリコール、ジベンジルアルコール、１，３−ジオキソラン、１，４−ジオキサン、メチルエチルケトン、メチルイソブチルケトン、メチル−ｎ−ヘキシルケトン、メチル−ｎ−プロピルケトン、ジイソプロピルケトン、ジイソブチルケトン、アセトン、ヘキサフルオロアセトン、フェノール、ギ酸、ギ酸メチル、ギ酸エチル、ギ酸プロピル、安息香酸メチル、安息香酸エチル、安息香酸プロピル、酢酸メチル、酢酸エチル、酢酸プロピル、フタル酸ジメチル、フタル酸ジエチル、フタル酸ジプロピル、塩化メチル、塩化エチル、塩化メチレン、クロロホルム、ｏ−クロロトルエン、ｐ−クロロトルエン、クロロホルム、四塩化炭素、１，１−ジクロロエタン、１，２−ジクロロエタン、トリクロロエタン、ジクロロプロパン、ジブロモエタン、ジブロモプロパン、臭化メチル、臭化エチル、臭化プロピル、酢酸、ベンゼン、トルエン、ヘキサン、シクロヘキサン、シクロヘキサノン、シクロペンタン、ｏ−キシレン、ｐ−キシレン、ｍ−キシレン、アセトニトリル、テトラヒドロフラン、Ｎ，Ｎ−ジメチルホルムアミド、ピリジン、水等を例示でき、これらより選ばれる少なくとも一種が用いられるが、特にこれらに限定されるものではない。
【００２９】
既述の繊維形成性物質と溶媒に無機質固体材料を混入することも可能である。当該無機質固体材料としては、酸化物、炭化物、窒化物、ホウ化物、珪化物、弗化物、硫化物等を挙げることができるが、耐熱性、加工性などの観点から酸化物を用いることが好ましい。
【００３０】
当該酸化物としては、Ａｌ2Ｏ3、ＳｉＯ2、ＴｉＯ2、Ｌｉ2Ｏ、Ｎａ2Ｏ、ＭｇＯ、ＣａＯ、ＳｒＯ、ＢａＯ、Ｂ2Ｏ3、Ｐ2Ｏ5、ＳｎＯ2、ＺｒＯ2、Ｋ2Ｏ、Ｃｓ2Ｏ、ＺｎＯ、Ｓｂ2Ｏ3、Ａｓ2Ｏ3、ＣｅＯ2、Ｖ2Ｏ5、Ｃｒ2Ｏ3、ＭｎＯ、Ｆｅ2Ｏ3、ＣｏＯ、ＮｉＯ、Ｙ2Ｏ3、Ｌｕ2Ｏ3、Ｙｂ2Ｏ3、ＨｆＯ2、Ｎｂ2Ｏ5等を例示でき、これらより選ばれる少なくとも一種が用いられるが、特にこれらに限定されるものではない。
【００３１】
また、収集体３は高分子ウエブ６の連続した製造上からは、連続したものを一方向に搬送しながら高分子ファイバ２の収集、堆積を図れる、いわば長尺シート材とするのが好適である。また、製造後の高分子ウエブ６の取り扱いからはそれを担持している収集体３と共に巻き取れるのが便利であり、この意味から収集体３は可撓性のある不織シート、ネット、樹脂シートなどが好適であり、電気的には通常誘電体となる。しかし、収集体３が誘電体であることは電極７による収集体３を介した高分子ファイバ２への電荷誘導の妨げにはならない。もっとも、上記以外の材料を採用することもできる。
【００３２】
これらを用いての前記の製造方法では、高分子ファイバ生成源４から生成され電圧Ｖ２に帯電された高分子ファイバ２は、収集体３を介し高分子ファイバ生成源４に対向した電極７を接地ないしは高分子ファイバ２と逆極性の電圧Ｖ１で逆帯電させたときの電荷誘導により、収集体３上に収集、堆積させて高分子ファイバ６を製造することができる。特に、電極７は、収集体３を介した高分子ファイバ生成源４との対向域５を含む循環経路１６にて、その循環経路方向に電気的に独立した複数のものとして循環させるので、この循環により対向域５を繰り返し通過させながら、少なくとも高分子ファイバ生成源４との対向域５を通過する間だけ、他から独立して、高分子ファイバ２と逆極性Ｖ１に帯電させ又は接地することができる。これにより、電極７は印加電圧Ｖ１によっては、誘電体である収集体３を介した帯電電圧Ｖ２を持った高分子ファイバ２との電気的な対向によって、収集体３内での誘電分極を伴い高分子ファイバ２を収集体３側に電荷誘導し、収集体３の上に収集、堆積させることができ、接地によっては、誘電体である収集体３を介した帯電電圧Ｖ２を持った高分子ファイバ２との電気的な対向によって、収集体３内での誘電分極を伴い高分子ファイバ２側の帯電電圧Ｖ２に対するバックアップ電荷を生成する結果として、高分子ファイバ２を収集体３側に電荷誘導し、収集体３の上に収集、堆積させることができる。
【００３３】
このとき、電極７間には図４に示すような循環経路方向での電極ギャップＬ１があっても、電極ギャップＬ１に続いて通過する後続の各電極７が電荷誘導を順次に補完することを繰り返すので、高分子ファイバ２を収集体３上に電荷誘導して収集、堆積させる静電作用が特に対向域５間で低下したり、乱れたりすることがない。しかし、電極７の高分子ファイバ２に対する電荷誘導効率からは電極ギャップＬ１は電極７の幅以下、よりよくは放電の原因とならない程度に小さくするのが有利ではある。
【００３４】
特に、電極７は少なくとも高分子ファイバ生成源４との対向域５を通過する間だけ逆帯電又は接地していればよく、対向域５外では逆帯電又は接地から解放されて、高分子ウエブ製造時間中の一部の時間、具体的には対向域５を通過する間の限られた時間しか逆帯電又は接地されないようにすることで、埃やゴミ、回り込み高分子ファイバ２の静電付着自体を抑えられる。しかも、電極７は、帯電からの解放によっては逆極性電荷Ｖ１の印加を絶たれ、また接地からの解放によっては接地でのバックアップ電荷Ｖ１の外部からの供給が絶たれるので電荷はそれ以上高まらないし、残留電荷は、収集体３上の高分子ファイバ２、高分子ウエブ６の残留電荷との釣り合い残留もあるが、循環により高分子ファイバ２、高分子ウエブ６と対向しなくなった範囲では特に、静電付着物との釣り合い残留はあっても、大方の残留電荷は経時的に大気へ放電して減少していき、それ以上の静電付着自体を抑え、延いては、静電付着物の静電担持力をも低減させて循環する電極７からの自然落下をしやすくし、対向気流により吹き落とされやすくすることができ、全体に電極７への埃などの静電付着、および静電付着物による高分子ファイバ２の収集体３上への収集、堆積への静電反発、共に抑制し、高分子ファイバ２の電荷誘導による収集、堆積の効率及び均一化を高め、高分子ウエブ６の生産性、品質の向上が図れる。
【００３５】
以上の結果、本実施の形態によれば、高分子ファイバ生成源４からの帯電された高分子ファイバ２を、収集体３を介し高分子ファイバ生成源４に対向した電極７が接地ないしは逆帯電されて電荷誘導し、収集体３上に収集、堆積させ高分子ウエブ６を製造するのに、電極７は高分子ファイバ生成源４との対向域５を含む循環経路１６にて循環経路方向に電気的に独立した配列状態で循環させながら、少なくとも対向域５を通過する間だけ接地又は逆帯電させることにより、対向域５を電極７が通過する毎に高分子ファイバ生成源４からの高分子ファイバ２に対して電荷誘導作用をなして収集体３上に収集、堆積させ高分子ウエブ６を製造することができ、電極７は対向域５外では逆帯電又は接地から解放されてよいので、高分子ウエブ製造時間中の一部の時間でしか逆帯電又は接地しなくてよく、埃やゴミ、回り込み高分子ファイバ２の静電付着自体を抑えられ、これら静電付着物が収集体３上に収集、堆積される高分子ファイバ２と同極性で反発し合い高分子ファイバ２の収集体３上への収集、堆積を邪魔したり乱したりするのを軽減できるのに併せ、逆帯電からの解放によっては逆極性電荷の印加を絶たれ、また接地からの解放によっては接地でのバックアップ電荷の外部からの供給が絶たれるので電荷はそれ以上高まらないし、残留電荷は、収集体３上の高分子ファイバ２、高分子ウエブ６の残留電荷との釣り合い残留もあるが、循環により高分子ファイバ２、高分子ウエブ６と対向しなくなった範囲では特に、静電付着物との釣り合い残留はあっても、大方の残留電荷は経時的に大気へ放電して減少していき、それ以上の静電付着自体を抑え、延いては、静電付着物の静電担持力をも低減させて循環する電極７から自然落下しやすく、対向気流により吹き落とされやすくすることができ、全体に電極７への埃などの静電付着、および静電付着物による高分子ファイバ２の収集体３上への収集、堆積への静電反発、共に抑制し、高分子ファイバ２の電荷誘導による収集、堆積の効率及び均一化を高め、高分子ウエブ６の生産性、品質の向上が図れる。
【００３６】
このような方法を実現するのに、図１〜図３の各例、図７、図８の各例に示す高分子ウエブ６の製造装置は、高分子ファイバ原料液１の孔９からの流出ないしは吐出と帯電とを図って高分子ファイバ２を生成する高分子ファイバ生成源４と、収集体３を介した高分子ファイバ生成源４との対向域を含む循環経路１６にて、その循環経路方向に電気的に独立して循環駆動され、前記対向域５を繰り返し通過させられる複数の電極７と、これら電極７が少なくとも高分子ファイバ生成源４との対向域５を通過する間は高分子ファイバ２と逆極性に帯電させ又は接地することにより、前記生成される高分子ファイバ２を電荷誘導して、前記収集体３上に収集、堆積させる電荷誘導手段２４と、を備え、高分子ウエブ２の収集体３上への収集、堆積によって高分子ウエブ６を製造するようにしてあり、既述の高分子ウエブの６製造方法を実現することができ自動的に安定して達成される。特に、図１〜図３に示す各例では、高分子ファイバ生成源４に電圧Ｖ２に帯電した高分子ファイバ２を生成するために電圧印加手段２９を働かせてあり、印加電源２９ａからの電圧Ｖ２が孔９に集中するように工夫される。図７、図８に示す各例でも図示していないが基本的に同じ構成である。
【００３７】
ところで、電極７の残留電荷は対向域５外での帯電や接地からの解放によっても、自然には十分に減少しにくく、終始埃やごみの静電付着の原因になるし、対向域５が位置し、ないしは並んで高分子ファイバ２の収集体３への収集、堆積が行われる収集、堆積域１１では回り込み高分子ファイバ２の静電付着の原因にもなるので、静電付着物が増量していき収集体３への高分子ファイバ２の電荷誘導作用に影響を増し、高分子ファイバ２の収集、堆積を不安定にさせるきらいがある。
【００３８】
そこで、これに対応するのに本実施の形態では、また、電極７が静電的に高分子ファイバ２の収集、堆積を不安定にするところを、電極７が前記対向域５外のほぼ一部からほぼ全範囲までの所定位置又は所定域にある間、安定化させる静電措置を採りながら、上記の高分子ウエブ６の製造を行う。ここに、静電措置は具体的には、前記収集、堆積を不安定にする電極７の残留電荷やそれにより高分子ファイバ２や高分子ウエブ６と同極の電荷を持って電極７に静電付着する静電付着物を減少させ、ないしは除去する措置であることに他ならない。これにより、対向域５外を通過している電極７には、逆帯電又は接地から解放するだけでなく、対向域５外のほぼ一部からほぼ全域までの範囲の所定位置または所定域において、電極７が静電付着物を伴い静電的に高分子ファイバ２の収集またはおよび堆積を不安定にさせるところを安定化する前記のような静電措置を採るので、静電措置を採った程度に応じて、電極７の静電付着物を伴う高分子ファイバ２の収集、堆積に対する静電作用を抑え、高分子ファイバ２の収集、堆積を安定化させられる。
【００３９】
詳しくは、電極７への埃やゴミ、回り込み高分子ファイバ２の付着は、それらが収集体３上に電荷誘導にて収集される高分子ファイバ２と同じ極性の電荷を有して、電荷誘導特性を低下させたり乱したりして、高分子ファイバ２の収集、堆積率を低下させ、また、高分子ファイバ２の収集、堆積を乱す原因になるところ、電極７に静電付着している埃やゴミ、回り込み高分子ファイバ２を、電極７高分子ファイバ生成源４との対向域５を外れたのを利用した高分子ファイバ２の収集、堆積に影響のない状態で除去して解消できる。
【００４０】
これを達成するのに図１〜図３の各例、図７、図８の各例に示す高分子ウエブ６の製造装置は、循環する電極７のうちの、対向域５外のほぼ一部からほぼ全域までの範囲の所定位置または所定域を通過する電極７に対し、電極７が高分子ファイバ２の収集またはおよび堆積を静電的に不安定にするのを安定化する静電措置手段２６を働かせ、高分子ファイバ２の収集体３上への安定化を伴う収集、堆積によって高分子ウエブ６を製造するようにしてあり、高分子ウエブ６の製造上、電極７による高分子ファイバ２の収集、堆積に対する静電的な不安定化を自動的に改善することができる。
【００４１】
ここに、静電措置は、電極７への静電付着物の除去またはおよび除電が挙げられる。電極７への埃やゴミ、回り込み高分子ファイバ２の付着は、それらが収集体３上に電荷誘導にて収集される高分子ファイバ２と同じ極性の電荷を有して、電荷誘導特性を静電的に低下させたり乱したりして、高分子ファイバ２の収集、堆積率を低下させ、また、高分子ファイバ２の収集、堆積を乱す原因になるところ、電極７に静電付着している埃やゴミ、回り込み高分子ファイバ２を、電極７が高分子ファイバ生成源４との対向域５を外れたのを利用した高分子ファイバ２の収集、堆積に影響のない状態で除去することで解消できる。また、電極７は対向域５外で帯電や接地から解放されて、印加され、または接地にて生じていた電荷は自然放電によって低下はするものの電荷はなお残留して、対向域５外においても埃やゴミの付着を招いたり、収集体３が電極７の循環経路１６から離れる際に静電吸着による抵抗で離れにくくしたりすることがあるところ、電極７を対向域５外のほぼ一部からほぼ全域までの範囲の所定位置又は所定域において、高分子ファイバ２の静電誘導による収集体３上への収集、堆積に全く影響しない状態で除電することにより解消できる。
【００４２】
これを実現するのに、図１〜図３の各例、図７、図８の各例に示す高分子ウエブ６の製造装置は、以上のような静電措置をする静電措置手段２６を備えて、高分子ウエブ６の製造において電極７に対する静電措置を自動的に安定して達成する。
【００４３】
ここに、静電措置手段２６は、図１〜図３の各例、図７、図８の各例に示す高分子ウエブ６の製造装置におけるように、電極７への静電付着物の除去を行う除去手段５０またはおよび除電を行う除電手段５１とすることができる。
【００４４】
このような静電付着物の除去手段５０は、図１に示すようにノズル４０からエア４１を電極７に噴射するものとして実現する、図２、図３に示すようにブラシ４２、４３によって掻き取るようにしても行える。また、図３に示す例では固定のブラシ４３を採用しているが、図２に示すように回転式のブラシ４２とする方が積極的な掻き取り作用が得られ除去効果は高まる。特に、ブラシ４２の電極７との接触側で見て、その回転方向を電極７の移動方向と逆向きにすると低速回転にて電極７との相対移動速度を大きくし、静電付着物の除去効果を高められる。ここで、ブラシ４２、４３を図示するように設置しておくと、収集体３やその上の高分子ファイバ２、高分子ウエブ６と対向していないことにより、電極７およびそれに付着している静電付着物の電荷を逃がしながら静電吸着の影響を軽減してより効果的に除去することができる。また、このブラシ４２、４３の設置は電極７を除電する除電手段５１を兼ねることもできる。場合によっては洗浄液の噴射、乾燥処理も採用できるし、それらを複合して採用することもできる。
【００４５】
また、電極７は対向域５外で電荷誘導手段２４による帯電や接地から解放されることで、印加され、または接地により生じていた電荷Ｖ１は自然放電によって低下はするものの電荷はなお残留して、対向域５外においても埃やゴミの付着を招いたり、収集体３が電極７の循環経路１６から離れる際に静電吸着による抵抗で離れにくくするところ、前記除電手段５１が、電極７を対向域５外のほぼ一部からほぼ全域までの範囲の所定位置又は所定域において、働くことにより、高分子ファイバ２の静電誘導による収集体３上への収集、堆積に全く影響しない状態で電極７を除電することにより解消できる。このような除電は、対向域５外の全域で行うほど除電効果は高まるが、図1、図２に示す各例、図７、図８に示す各例のように対向域５外の一部、つまり所定位置で行っても有効である。
【００４６】
図３に示す例では特に、除電手段５１は、収集、堆積域１１での対向域５が、電極７の循環経路方向に不連続であることを利用して、この不連続域を通過する電極７に対して働かせて除電を行うようにしている。これにより、対向域５が複数並ぶ収集、堆積域１１であっても、対向域５が途切れる対向域５間の対向域５外を利用して、電極７を除電し、埃やゴミが静電付着するのを防止することができるし、特に、収集、堆積域１１であることにより高分子ファイバ２の無駄な回り込み付着を回避させられる利点がある。
【００４７】
さらに、対向域５外の一部で除電を行う場合は、特に、図２、図３、図８に示す各例のように、電極７が収集、堆積域１１を超えた位置と、この位置よりも下流で電極７から収集体３が離れる位置までの間で行うのが好適である。このようにすると、収集体３が離れていく位置に達する電極７は既に除電されていることになるので、収集体３が除電済みの電極７から、帯電している高分子ウエブ６との静電吸着なしに難なく離れていくことを保証することができる。
【００４８】
このような除電を行う除電手段５１としては、図４に示すように交流電源２７を採用し、電極７に対し接触子５２を介して交流電圧Ｖ３を印加することにより、電極７の帯電電荷を中和して消去し除電することができる。また、除電手段５１は接触子５２を介して電極７を接地するものとしても、電極７の帯電電荷を逃がして除電することができる。しかし、それには、対向域５外でも、収集体３の高分子ファイバ、ウエブの担持域と対向する領域外であることが必要である。高分子ファイバ、ウエブ担持域と対向する領域であると、接地によって高分子ファイバ２、高分子ウエブ６の帯電電荷に対するバックアップ電荷を保持してしまう結果となるからである。
【００４９】
また、除電手段５１は、電極７に電極７の帯電電荷と逆電極の電圧を印加することでも除電を達成することができ、それには、図４の交流電源２７に代わる逆極性印加電源からの接触子５２を介した電圧印加によることもできるが、図５に示すように非接触に電荷を与えられるコロナ放電源２８や光電離により電荷を生成する光照射源などとするのが接触部、摺動部回避による耐久性向上の面で好適である。
【００５０】
ところで、収集体３は種々な循環方式、支持方式が考えられる中、図１〜図３の各例、図７、図８の各例に示す高分子ウエブ６の製造装置におけるように、少なくとも高分子ファイバ２の収集、堆積域１１での電極７によるバックアップを伴い搬送し、高分子ウエブ６を連続に製造するようにする。このように、収集体３を少なくとも高分子ファイバ２の収集、堆積域１１での電極７によるバックアップを伴い搬送することで、循環する電極７に収集体支持または搬送の機能を持たせられる上、収集、堆積域１１での収集体３と電極７との間にギャップが生じないようにでき、高分子ファイバ２に対する電荷誘導効率を高められる。回転体３０は搬送される収集体３に従動させても、回転駆動してもよい。回転駆動すれば収集体３に対して搬送作用を与えたり電極７を収集体３に同期移動させたりすることができる。もっとも、電極７は収集体３に対し同期移動する必要はない。収集体３と電極７との図６に示す速度ｖ１、ｖ２が異なって循環経路方向に相対移動する場合、電極７を図７、図８に示す各例のようにローラタイプとして自転できるように支持しておけば、収集体３と電極７とが相対移動によって転がり接触するようになり、互いが摺動し合うのを防止することができる。
【００５１】
電極７の収集体３の少なくとも収集、堆積域１１での支持ないしは搬送を伴う循環方式としては特に限定されないものの、固定した環状の循環経路１６とすれば、電極７の支持および循環駆動に便利となる。
【００５２】
特に、図１に示す例、図２に示す例、図３に示す例のように長円形態の循環経路１６とすれば、駆動ローラ２１と従動ローラ２２とだけで支持および駆動することができるし、扁平空間にかさ低く設置できる。また、収集体３の収集、堆積域１１に対し搬送方向に十分に長いバックアップ域１２を直線形態で満足することができる。この直線形態は複数の高分子ファイバ生成源４を収集、堆積域１１に設置するのに、一定の電荷誘導紡糸距離を設定しやすいし、各高分子ファイバ生成源４からの収集体３への収集、堆積を安定させやすい。この場合、各電極７は、駆動ローラ２１、従動ローラ２２に巻回され、循環駆動される可撓性のある図１〜図３に示す各例のような無端支持材２３に循環経路方向に電気的に独立して支持すればよく、図４〜図６に示すように絶縁性のある樹脂シートを用いた無端支持材２３として、その厚みよりも十分に大きな厚みの電極７を加熱や超音波振動を利用して埋め付けるようにしてあり、収集体３をバックアップする側の面は開放し、かつ収集体３と接面するのを邪魔しない開放形態であるように無端支持材２３からの突出形態などとする。
【００５３】
また、循環する各電極７に逆帯電又は接地を図って、生成される高分子ファイバ２を収集体３の側に電荷誘導させる電荷誘導手段２４を働かせるには、図１〜図３に示す各例、図７、図８に示す各例がそうであるように、また、図６に示すように、電極７が収集体３を支持し高分子ファイバ２の収集、堆積に供する収集、堆積域１１の範囲の反収集体３側、つまり電極７が循環する循環経路１６の内側に電荷誘導のための電圧Ｖ１の電圧印加手段２５を設けて働かせるか、接地手段を設けて働かせることになる。これに対応して、電極７の反収集体３側にも無端支持材２３から図４〜図６に示すように少なくとも露出する開放形態とし、図６に示すように電圧印加手段２５側からの帯電（又は接地の）のための接触が、ばね２５ａなどで弾性支持した接触子２５ｂを弾性的に押し付けることで、確実に図れるようにしている。図６に示す例は印加電源２５ｃから電圧Ｖ１を印加して帯電させる場合であって、接触子２５ｂは印加電源２５ｃとばね２５ａで電気的に繋がった共通電極２５ｄに個別に弾性的に支持されたものとしている。接地による場合は印加電源２５ｃに代えて接地用の開閉手段などとすればよい。
【００５４】
図７に示す例、図８に示す例、図９に示す例、図１０に示す例、図１１に示す例、図１２に示す例のように、図７、図８で代表して示した円形態の循環経路１６とすれば、電極７をその支持部材３１と共にその中心軸線まわりに回転できるように支持した回転体３０とすればよく、簡単に設置し収集体３を収集、堆積域１１でのバックアップができる。回転体３０は搬送される収集体３に従動させても、回転駆動してもよい。回転駆動すれば収集体３に対して搬送作用を与えたり電極７を収集体３に同期移動させたりすることができる。もっとも、先に述べたように電極７は収集体３に対し同期移動する必要はない。
【００５５】
図７〜図１２に示す各例では、ローラタイプの電極７を支持部材３１に支持して、循環する電極７によって収集体３を収集、堆積域１１およびその前後でバックアップし、高分子ファイバ生成源４から生成される高分子ファイバ２を、電荷誘導手段２４による帯電又は接地を伴い回転体３０の支持部材３１は、図７、図８に示すように収集、堆積域１１をその前後を含んでバックアップしながら、高分子ファイバ生成源４から生成される高分子ファイバ２を搬送される収集体３上に収集、堆積させる。
【００５６】
支持部材３１は、図９、図１０に示すように回転軸６１を持った左右一対のリール枠３１ａ、３１ｂ間に電極７を支持して一体化し、回転軸６１を軸受して回転駆動するようにしてある。これによって、ロール部３ａから繰り出した収集体３の収集、堆積域１１とする折り返し部を電極７でバックアップして、高分子ファイバ生成源４からの高分子ファイバ２の収集、堆積域１１における電荷誘導による収集、堆積に供するのに併せ、折り返し部を経た収集体３の高分子ウエブ６と共の巻き取りロール６２による巻き取りに供するようにしている。図示例では、遊びローラ６３を介して巻き取りローラ６３に導き、高分子ウエブ６が上面となるように巻き取られるようにしている。しかし、どのように巻き取ってもよいし、繰り返し折り返しながら積層していくなど巻き取り以外の取り扱いをすることもできる。
【００５７】
図１１に示す例では、回転軸６１を持ったリール枠３１ａと溝リング３１ｃとの間に電極７を支持し、溝リング３１ｃは周囲３か所をローラ６４により支持して、回転駆動できるようにし、溝リング３１ｃの側が開放されるようにしている。これにより、図示しないが既述の電荷誘導手段２４や除去手段５０、除電手段５１などを所定位置に固定支持するのに、前記開放部を通じ外部から容易に支持できる。
【００５８】
図１２に示す例では、左右一対の溝リング３１ｃ、３１ｄの間に電極７を支持し、各溝リング３１ｃ、３１ｄ共に３つのローラ６４により支持して、回転駆動できるようにし、一方の溝リング３１ｄに形成したギヤ３１ｅを利用してモータ７０に直結の駆動ギヤ７１を噛み合わせ回転駆動するようにしてある。これによれば、支持部材３１の左右両端が開放され、既述の電荷誘導手段２４や除電手段５１を外部から固定支持するのにさらに容易になる。
【００５９】
収集体３の幅が広い場合には、高分子ファイバ生成源４を収集体３の移動方向にほぼ直角に移動可能にし、周期的な移動動作を行わせることで幅広の収集体３に対しても、生成される高分子ファイバ２を均一な高分子ウエブ６に堆積させることができる。
【００６０】
最後に、高分子ファイバ生成源４は、既に知られる種々のものを採用することができる。図１〜図３の各例では、電圧印加手段２９によって電圧Ｖ２を印加電源２９ａから電圧が印加され、孔９の部分に電荷が集中するようにした容器７３に高分子ファイバ原料液１を供給して、ポンプなどによる供給圧、あるいは自然流化によって孔９から帯電を伴い吐出ないしは流出させて、静電爆発、静電延伸を伴いナノ単位の高分子ファイバ２を生成し、収集体３上に収集、堆積されるようにしている。
【００６１】
図9に示す例、図１１に示す例の高分子ファイバ生成源４は、電圧Ｖ２を印加電源２９ａから印加されたノズル７４に高分子ファイバ原料液１をポンプで供給して、孔９から帯電を伴い比較的広域に噴出させ、噴出圧、静電爆発、静電延伸などによりナノ単位の高分子ファイバ２を生成して収集体３上に電荷誘導により収集、堆積されるようにしてある。図９に示す例ではノズル７４を１つ用いているだけであるが、図１１に示す例では複数を収集体３の幅方向に配列してあり、広幅な収集体３上に高分子ファイバ２を収集、堆積させるのに有利であるし、各ノズル７４からの高分子ファイバ生成域が収集体３上で重なることによって、単位面積当たりの高分子ファイバ２の収集、堆積量を増大させやすい。この意味からノズル７４は収集体３の移動方向にも複数配列して高分子ファイバ２の単位面積当たりの収集、堆積量を高めることもできる。なお、ノズル７４はガラス製のキャピラリに変更して、印加電源２９ａから電圧Ｖ２を印加されるステンレス線などの電極を収容し、供給される高分子ファイバ原料液１を供給圧にて噴射するようにしてもよく、これによると生成する高分子ファイバ２の帯電に有利となる。
【００６２】
図１０に示す例では、図１３に示すようにモータ８０によって絶縁体である回転軸８１を介し回転駆動されるドラム８２を高分子ファイバ生成源４とし、回転軸８１を通じ供給される高分子ファイバ原料液１を貯留しながら、その周面に図１０に示すように印加電源２９ａからドラム８２の表面導電層に印加された電圧Ｖ２が集中するように形成した多数のノズル８３の孔９から、流出ないしは供給圧により吐出させて静電紡糸するのに、静電爆発、静電延伸に加え、ドラム８２が回転駆動されることによる遠心力での機械的な延伸作用も得て、より長尺な高分子ファイバ２を多量に生成できるようにしている。従って、多孔質で高密度な高分子ウエブ６を生産するのに有効である。併せ、層厚を増大させるのにも有利である。もっとも、高分子ファイバ２はドラム８２の周面まわりに飛翔するように生成されるので、電極７による電荷誘導で収集体３の側に向けにくい場合は、ドラム８の反収集体３側に高分子ファイバ２と同極性に帯電させた反射板を設置し、反射板側に生成されてくる高分子ファイバ２を静電反発によって収集体３の側に向け、電極７からの静電誘導作用を確実に受けて収集体３上に収集、堆積されるようにすることができる。ドラム８２の軸線は電極７の回転軸線と平行になるようにしているが、交差する向きに設置することもできる。なお、図１３に示す例では孔９はドラム８２の表面に平坦に開口させただけの非ノズル形態としてある。
【００６３】
また、図１３に示す例では、特に、ドラム８２を回転軸８１の軸受８３での接地が、ドラム８２の表面に設けた金属層８２ａを介し孔９に及ぶようにし、電極７に印加した印加電源２５ｃからの印加電圧Ｖ２のもとに、静電紡糸による高分子ファイバ２の生成、および生成された高分子ファイバ２の電荷誘導による収集体３上への収集、堆積が行われるようにしている。なお、印加電源２９ａからの電圧Ｖ２の印加は開閉器８５によってオン、オフできるようにしている。
【００６４】
図１２に示す例では、図１１の場合同様に、供給される高分子ファイバ原料液１を貯留しながら回転駆動されるドラム８２が高分子ファイバ生成源４をなし、周面に多数設けた孔９から遠心力によって高分子ファイバ原料液１を吐出するのと、既述した印加電源２９ａからの帯電とによって多数の高分子ファイバ２を生成するようにしている。しかし、図１１に示す例ではドラム８２の回転軸線が電極７の回転軸線と平行であったのが、本例では、ドラム８２の回転軸線が電極７の回転軸線と直行する関係としてある。これにより、ドラム８２まわりに飛翔するように生成される高分子ファイバ２は、収集体３の側への電荷誘導方向に対してすべて直角に向く関係となり、収集体３の側に向くものや反対側に向くもの、それらの中間のものなど混在しない。このため、生成する高分子ファイバ２の全てをほぼ同等に収集体３の側に電荷誘導することができる。本例では、特に、生成される高分子ファイバ２と同極性に帯電した反射板１８５を設けて、収集体３の側への電荷誘導効率を高めるようにしてある。
【００６５】
図１４に示す例では、立方体をなして供給される高分子ファイバ原料液１を貯留しながら、平坦な下面に表面に印加電源２９ａから印加された電圧Ｖ２が集中するように形成したノズル９１の孔９から自然流出ないしは供給圧によって吐出させるタンク９２が高分子ファイバ生成源４をなし、広い面積に配置した多数の孔９から高分子ファイバ２を同時に生成することができる。従って、図１〜図３に示すような収集体３の広い平坦面にて収集、堆積域１１での高分子ファイバ２の収集、堆積に供するのに 好適である。
【００６６】
なお、実施の形態においては、収集体３は、誘電体として構成しているが、特にこれに限定するものではなく、高分子ファイバ２が表面に薄いシート状に堆積できるものであればよい。
【産業上の利用可能性】
【００６７】
本発明は、電子紡糸に実用して、対向電極を接地ないしは逆帯電させ続けないで、生成される高分子ファイバを収集、堆積させられ、対向電極を接地ないし逆帯電させることによる問題を軽減ないしは解消することができる。
【図面の簡単な説明】
【００６８】
【図１】本発明に係る実施の形態の高分子ウエブの製造方法と装置を原理的に示す第１の態様図である。
【図２】同第２の態様図である。
【図３】同第３の態様図である。
【図４】同除電が交流電圧による場合の具体例図である。
【図５】同電極に高分子ファイバと逆極性帯電させる場合の具体例図である。
【図６】同第４の態様図である。
【図７】同第５の態様図である。
【図８】同第６の態様図である。
【図９】同図７の態様図である。
【図１０】同第８の態様図である。
【図１１】同第９の態様図である。
【図１２】同第１０の態様図である。
【図１３】図１０の態様図における高分子ファイバ生成源としてのドラムの別の構成例を示す断面図である。
【図１４】図１〜図３の態様図における高分子ファイバ生成源に代えて好適な別の構成例を示す斜視図である。
【符号の説明】
【００６９】
１  高分子ファイバ原料液
２  高分子ファイバ
３  収集体
５  対向域
６  高分子ウエブ
７  電極
９  孔
１１  収集、堆積域
１２  バックアップ域
２１  駆動ローラ
２２  従動ローラ
２３  無端支持材
２４  電荷誘導手段
２５  電圧印加手段
２５ｃ  印加電源
２６  静電措置手段
２７  交流電源
２８  コロナ放電源
２９  電圧印加手段
２９ａ  印加電源
３０  回転体
３１  支持部材
３１ａ、３１ｂ  リール枠
３１ｃ、３１ｄ  溝リング
３１ｅ  ギヤ
５０  除去手段
５１  除電手段
６４  ローラ
７０  モータ
７１  駆動ギヤ
【図１】
0004835549.tif 000002
【図２】
0004835549.tif 000003
【図３】
0004835549.tif 000004
【図４】
0004835549.tif 000005
【図５】
0004835549.tif 000006
【図６】
0004835549.tif 000007
【図７】
0004835549.tif 000008
【図８】
0004835549.tif 000009
【図９】
0004835549.tif 000010
【図１０】
0004835549.tif 000011
【図１１】
0004835549.tif 000012
【図１２】
0004835549.tif 000013
【図１３】
0004835549.tif 000014
【図１４】
0004835549.tif 000015